(57)【特許請求の範囲】
【請求項１】
紙の流れ目方向を同じくして重ね合わせ接着する少なくとも第１紙片及び第２紙片に対し、縁部の一辺を折り部又は接合部として他の３辺で剥離可能に接着させ、接着部分より剥離開封させる重ね合わせ接着シートであって、
前記第１紙片及び第２紙片の少なくとも何れかに、前記３辺のうち、前記紙の流れ目方向に対する垂直方向の辺に接着層を断続的に形成させ、当該紙の流れ目方向と同方向の辺に接着層を連続的に形成させることを特徴とする重ね合わせ接着シート。
【発明の詳細な説明】
【技術分野】
【０００１】
本発明は、縁部に形成された接着層により重ね合わせ接着されて接着層部分より剥離開封される重ね合わせ接着シートに関する。
【背景技術】
【０００２】
近年、剥離自在に重ね合わせ接着された接着シートは、帳票、封書、はがき、パンフレット、冊子等に広く用いられるようになってきている。このような重ね合わせ接着シートは、接着層の影響によるカールを防止する必要があると共に、配送などの取り扱い上での接着層部分からの剥離開封を抑止する必要がある。
【０００３】
従来、後に剥離開封して情報等を認識させる重ね合わせ接着シートは種々知られている。例えば、特許文献１に記載されているように、三つ折りされた封書上紙片と封書中紙片と封書下紙片の周縁を接着して封書を作製するための三つ折封書用帳票の表面側及び裏面側の縦方向に設けられる接着剤を破線棒状とし、横方向に設けられる接着剤を直線状とした三つ折封書用帳票が知られている。
【０００４】
また、特許文献２に記載されているように、用紙を２つの折り線によって三つ折りしたのち、さらに折り線で四つ折りすることにより定形郵便物サイズに折り畳み、四周に開口する紙面の周縁部に間隔を開けたドット状に塗布した接着剤によって通気可能かつ再剥離可能に封緘する封書が知られている。
【０００５】
さらに、特許文献３に記載されているように、綴じ合わせ部における対向面それぞれに剥離剤を塗布し、綴じ合わせ部において相対向する剥離剤塗布部分それぞれに、剥離剤塗布部分の重ね合わせ時に少なくとも一部が重なる剥離剤未塗布部を設けて、少なくとも一方の剥離剤未塗布部を不連続とし、剥離剤未塗布部を覆う直線状に形成された接着剤を介して相対向する綴じ合わせ部を分離可能に綴じ合わせた封書が知られている。
【先行技術文献】
【特許文献】
【０００６】
【特許文献１】特開平０７−０１７１７１号公報
【特許文献２】特許３１５３９０８号公報
【特許文献３】特許３７１７００１号公報
【発明の概要】
【発明が解決しようとする課題】
【０００７】
ところで、紙類には製紙過程で連続繰り出し方向にいわゆる紙の流れ目が存在し、紙の流れ目方向に対する垂直方向は当該流れ目方向と比較して紙の密度が小さく、剛度も弱く、引っ張り強度も弱いため、接着剤の水分による影響を受け易いという性質を有する。しかしながら、上記特許文献１に記載されている帳票においては当該特許文献１の図３に示されるようにカット線７の方向が紙の流れ目方向であり、当該流れ目方向に対する垂直方向に直線状の接着剤が形成されていることから当該垂直方向で水分の影響でカールし易いという問題がある。
【０００８】
また、特許文献２に記載されているように「コ」の字状に形成される通気のためのドット状の接着剤の量は直線状の接着剤の量とさほど変わらず当該接着剤の水分量の影響で上記同様にカールし易いという問題がある。さらに、上記特許文献３に記載されている封書においても、同様に、縁部３辺で「コ」の字状に接着剤を連続に塗布されていることから当該接着剤の水分量の影響で流れ目方向に対する垂直方向でカールし易いという問題がある。
【０００９】
一方、紙の流れ目方向と同方向に形成される接着剤が、特許文献２，３に記載されているように直線的であれば接着力により配送などの取り扱い上で意図しない剥離を抑止することができるが、特許文献１に記載されているように断続的に形成されると接着力が弱くなり、意図しない剥離が生じ易く、特に剥離のための段差が形成されている場合には顕著である。すなわち、上記各特許文献で記載されているような技術では、カール発生の防止と意図しない剥離による開封の抑止を両立させることができないという問題がある。
【００１０】
そこで、本発明は上記課題に鑑みなされたもので、使用される紙類の紙の流れ目方向の紙質に着目してカール発生の防止と意図しない剥離による開封の抑止との両立を図る重ね合わせ接着シートを提供することを目的とする。
【課題を解決するための手段】
【００１１】
上記課題を解決するために、請求項１の発明では、紙の流れ目方向を同じくして重ね合わせ接着する少なくとも第１紙片及び第２紙片に対し、縁部の一辺を折り部又は接合部として他の３辺で剥離可能に接着させ、接着部分より剥離開封させる重ね合わせ接着シートであって、前記第１紙片及び第２紙片の少なくとも何れかに、前記３辺のうち、前記紙の流れ目方向に対する垂直方向の辺に接着層を断続的に形成させ、当該紙の流れ目方向と同方向の辺に接着層を連続的に形成させる構成とする。
【発明の効果】
【００１２】
請求項１の発明によれば、紙の流れ目方向を同じくして重ね合わせ接着する少なくとも第１紙片及び第２紙片に対し、縁部の一辺を折り部又は接合部として他の３辺で剥離可能に接着させ、接着部分より剥離開封させるもので、第１紙片及び第２紙片の少なくとも何れかに、上記３辺のうち、紙の流れ目方向に対する垂直方向の辺に接着層を断続的に形成させ、当該紙の流れ目方向と同方向の辺に接着層を連続的に形成させる構成とすることにより、紙の流れ目方向に対する垂直方向では断続的に形成された接着層の接着剤による紙片に吸収される水分量を少なくさせてカール発生を防止し、紙の流れ目方向と同方向では連続的に形成された接着層で接着強度を高くさせて取り扱い上での意図しない剥離を抑止し、特に剥離のための段差が設けられている場合には取り扱い上での意図しない剥離をより効果的に抑止することができ、カール発生の防止と意図しない剥離による開封の抑止とを両立させることができるものである。
【図面の簡単な説明】
【００１３】
【図１】本発明に係る重ね合わせ接着シートにおける第１実施形態の構成図である。
【図２】図１の重ね合わせ接着シートの各部断面図である。
【図３】図１の重ね合わせ接着シートの一部剥離状態の説明図である。
【図４】本発明に係る重ね合わせ接着シートにおける第２実施形態の構成図である。
【図５】図４の重ね合わせ接着シートの一部剥離状態の説明図である。
【図６】図５の剥離状態の断面である。
【発明を実施するための形態】
【００１４】
以下、本発明の実施形態を図により説明する。なお、この実施形態における各断面図は、理解を容易にするために寸法（特に厚み）を無視している。
【００１５】
図１に本発明に係る重ね合わせ接着シートにおける第１実施形態の構成図を示すと共に、図２に図１の重ね合わせ接着シートの各部断面図を示す。図２（Ａ）は図１（Ｂ）のＡ−Ａ（Ｂ−Ｂ）断面図、図２（Ｂ）は図１（Ｂ）のＣ−Ｃ断面図、図２（Ｃ）は図１（Ａ）のＤ−Ｄ断面図である。
【００１６】
図１（Ａ）において、重ね合わせ接着シート１１は、第１紙片１２と第２紙片１３とが折り部１４（図１（Ｂ））により折り重ね接着されたもので、第１紙片１２の折り方向の長さが第２紙片１３より短く、折り重ねたときに第２紙片１３には第１紙片１２と重ならない重ね合わせ延長部１５が形成されることとなる。また、折り重ねた第１紙片１２の延長部１５側端部で当該第２紙片１３に対して段差部１６が形成される。当該段差部１６は、例えば下隅（上隅でもよい）より剥離開封の剥離開始端とされる。なお、重ね合わせ延長部１５及び段差部１６を設けなくともよく、この場合には剥離開始端部分を不接着とさせればよく、また、剥離開始端１７の一部を切り欠いてコーナーカットとしてもよい。
【００１７】
図１（Ｂ）に示すように、第１紙片１２及び第２紙片１３が折り部１４で連設され、ここでは、折り部１４の方向（第１紙片１２及び第２紙片１３の各長辺方向）を同じ紙の流れ目方向１７としている。紙類として、例えばコート紙が用いられる。第２紙片１３の縁部であって、折り部１４の辺以外の３辺に「コ」の字状に剥離層２１が等間隔の剥離剤不形成領域２２を有して形成される。剥離剤として、例えばニスが使用される。なお、第２紙片１３における上記３辺のうちの１辺は、重ね合わせ延長部１５を除いたものとしての辺であって、重ね合わせ延長部１５の有無に拘わらず、重ね合わせ対象の紙片（第１紙片１２）の対応する辺（折り部１４に対向する辺）が重ねられる辺である。
【００１８】
上記剥離剤不形成領域２２は、細長形状で所定間隔に並設させ、例えば図１（Ａ）に示す第１紙片１２の右下隅を剥離開始端とした場合、当該剥離開始端より剥離方向（右下隅から左上隅）の方向に合わせて傾斜させたものである。この傾斜によって剥離時に紙の破れを回避させることができる。当該剥離剤不形成領域２２を含む剥離層２１の形成は、例えば型（版）により形成することができる。並設された剥離剤不形成領域２２は接着層３１Ａ（３１Ｂ）の形成配置となり、その間隔は、接着力の調整に応じて適宜設定される。
【００１９】
第２紙片１３における紙の流れ目方向１７に対する垂直方向で対向する２辺であって、剥離層２１の剥離剤不形成領域２２上に接着剤を滴下状に塗布させて接着層３１Ａ（３１Ｂ）がそれぞれ形成される（図１（Ｂ）、図２（Ａ）のＡ−Ａ（Ｂ−Ｂ）断面図））。接着剤の塗布は、剥離剤不形成領域２２におおよそかかる程度で行えばよく、厳密な塗布精度を要しない。結果として、紙の流れ目方向１７に対する垂直方向の各辺に接着層３１Ａ，３１Ｂが断続的に形成されることとなる。接着剤としては、水性エマルジョン系のものが使用され、後述の連続的に形成される接着層を構成する接着剤も同様である。
【００２０】
一方、図１（Ｂ）、図２（Ｂ）のＣ−Ｃ断面図に示すように、第２紙片１３における折り部１４の辺以外の３辺のうち、紙の流れ目方向１７と同方向の辺であって、剥離層２１上に、剥離剤不形成領域２２に関係なく、上記同様の接着剤により接着層３２が連続的に形成される。
【００２１】
そして、第１紙片１２を折り部１４より第２紙片１３側に折り曲げることで接着層３１Ａ，３１Ｂ，３２により重ね合わせ接着されるもので、断続的に形成された接着層３１Ｂ（接着層３１Ａも同様である）は、図１（Ａ）、図２（Ｃ）のＤ−Ｄ断面図に示すように、接着剤の殆どが剥離剤不形成領域２２内に流れ込む状態となって重ね合わせ接着されることとなるものである。なお、接着層３２を構成する接着剤は剥離層２１上に形成されると共に、各剥離剤不形成領域２２内に流れ込む状態となる。この場合、接着層３２の接着剤は剥離層２１に密接する部分では、剥離力に応じた接着力を有し、断続的に形成された接着層３１Ａ，３１Ｂに比較して接着力が高くなるものである。
【００２２】
そこで、図３に、図１の重ね合わせ接着シートの一部剥離状態の説明図を示す。図３（Ａ）は剥離開始直後の状態を示したもので、図３（Ｂ）はそのＥ−Ｅ断面図、図３（Ｃ）はそのＦ−Ｆ断面図である。図３（Ａ）において、図１（Ａ）に示す重ね合わせ接着シート１１における第１紙片１２を段差部１６の右下隅より引き上げて剥離を開始すると、断続的な接着層３１Ｂが形成された辺では、図３（Ｂ）に示すように、剥離剤不形成領域２２内の接着層３１Ｂの各接着剤が厚さ方向で分断されるように分離していくことで剥離される。
【００２３】
一方、連続的な接着層３２が形成された辺では、図３（Ｃ）に示すように、剥離層２１上に形成された接着層３２の接着剤は当該剥離層２１より剥離され、剥離剤不形成領域２２内に流れ込んだ各接着剤が厚さ方向で分断されるように分離していくことで剥離されるものである。
【００２４】
次に、図４に本発明に係る重ね合わせ接着シートにおける第２実施形態の構成図を示し、図５に図４の重ね合わせ接着シートの一部剥離状態の説明図を示す、図６に図５の剥離状態の断面を示す。図４に示す重ね合わせ接着シート１１は、図１（Ａ）、（Ｂ）に示す重ね合わせ接着シート１１の剥離層２１を形成させない形態のもので、他の構成は同様である。
【００２５】
すなわち、第２紙片１３における折り部１４の辺以外の３辺であって、紙の流れ目方向１７に対する垂直方向の各辺に、当該紙片上に断続的な接着層４１Ａ，４１Ｂをそれぞれ形成し、紙の流れ目方向１７と同方向の辺に、当該紙片上に連続的な接着層４２を形成したものである。
【００２６】
このような重ね合わせ接着シート１１は、図５に示すように、第１紙片１２を段差部１６の右下隅より引き上げて剥離を開始すると、断続的な接着層４１Ｂが形成された辺では、図６（Ａ）のＧ−Ｇ断面図に示すように、断続的な接着層３１Ｂの各接着剤が分断されるように分離していくことで剥離される。また、連続的な接着層４２が形成された辺では、図６（Ｂ）のＨ−Ｈ断面図に示すように、接着層３２の接着剤が厚さ方向で分断されるように分離していくことで剥離されるものである。
【００２７】
このように、紙の流れ目方向１７に対する垂直方向では断続的に形成された接着層３１Ａ，３１Ｂ，４１Ａ，４１Ｂの接着剤による紙片に吸収される水分量を少なくさせてカール発生を防止することができる。また、紙の流れ目方向１７と同方向では連続的に形成された接着層３２，４２で接着強度を高くさせて取り扱い上での意図しない剥離を抑止し、特に剥離のための段差部１６が設けた本実施形態において取り扱い上での意図しない剥離をより効果的に抑止することができる。すなわち、カール発生の防止と意図しない剥離による開封の抑止とを両立させることができるものである。
【００２８】
ところで、上記実施形態では、第２紙片１３に剥離層２１、接着層３１Ａ，３１Ｂ，３２，４１Ａ，４１Ｂ，４２を形成させた場合を示したが、第１紙片１２に形成してもよく、また、両方に形成しても同様である。
【００２９】
また、上記実施形態では、２つ折りの重ね合わせ接着シートについて説明したが、３紙片（連設されたａ紙片、ｂ紙片、ｃ紙片）のＺ折りにする場合であっても同様である。すなわち、ａ紙片を上記第１紙片１２、ｂ紙片を上記第２紙片１３として、ｂ紙片における第１面（ａ紙片との重ね合わせ面）の折り部の辺以外の３辺に、上記のように剥離層２１、接着層３１Ａ，３１Ｂ，３２，４１Ａ，４１Ｂ，４２を形成して重ね合わせ、これをさらに第１紙片１２、ｃ紙片を第２紙片１３として当該ｃ紙片の重ね合わせ面における折り部の辺以外の３辺に、剥離層２１、接着層３１Ａ，３１Ｂ，３２，４１Ａ，４１Ｂ，４２を形成して第１紙片１２（重ね接着されたａ紙片及びｂ紙片）のｂ紙片の第２面（第１面の裏面）と重ね合わせることで重ね合わせ接着シート１１とさせるものである。
【００３０】
さらに、上記実施形態では、２つの紙片の重ね合わせ接着シート１１について説明したが、これを冊子（例えば単葉のａ紙片、ｂ紙片、ｃ紙片）に適用させる場合、まず、ａ紙片を上記第１紙片１２、ｂ紙片を上記第２紙片１３として、ｂ紙片の第１面（ａ紙片との重ね合わせ面）の接合部の辺以外の３辺に、上記のように剥離層２１、接着層３１Ａ，３１Ｂ，３２，４１Ａ，４１Ｂ，４２を形成して重ね合わせ、これをさらに第１紙片１２、ｃ紙片を第２紙片１３として当該ｃ紙片の重ね合わせ面における接合部の辺以外の３辺に、剥離層２１、接着層３１Ａ，３１Ｂ，３２，４１Ａ，４１Ｂ，４２を形成して第１紙片１２（重ね接着されたａ紙片及びｂ紙片）のｂ紙片の第２面（第１面の裏面）と重ね合わせることで重ね合わせ接着シート１１とさせるものである。
【産業上の利用可能性】
【００３１】
本発明の重ね合わせ接着シートは、帳票、封書、はがき、パンフレット、冊子等の製造、販売、使用等の産業に利用可能である。
【符号の説明】
【００３２】
１１            重ね合わせ接着シート
１２            第１紙片
１３            第２紙片
１４            折り部
１５            重ね合わせ延長部
１６            段差部
１７            紙の流れ目
２１            剥離層
２２            剥離剤不形成領域
３１，４１      不連続接着層
３２，４２      連続接着層
【図１】
0006531028.tif 000002
【図２】
0006531028.tif 000003
【図３】
0006531028.tif 000004
【図４】
0006531028.tif 000005
【図５】
0006531028.tif 000006
【図６】
0006531028.tif 000007